(57)【特許請求の範囲】
【請求項１】
対となるコネクタにコネクタ連結方向に沿って連結される樹脂成形されたハウジングと、
このハウジングのコネクタ連結方向に沿う外壁面に設けられ、コネクタ連結方向に沿って延びる一対のリブと、
これら一対のリブ間を連結し、ハウジングの上記外壁面に平行な板部と、
この板部からコネクタ連結方向に延びるように片持ち状に設けられた板状の弾性アームおよび弾性アームに設けられハウジングの上記外壁面に向けて突出するロック爪を含み、対となるコネクタへの連結状態をロックするためのロック機構と、
ハウジングの上記外壁面、上記一対のリブおよび上記板部によって区画され、コネクタ連結方向の反対方向に開放する空所と、
この空所に取り外し不能に装着され、ロック機構によるロックの解除を阻止したロック解除阻止部材とを備え、
上記ロック解除阻止部材は、当該ロック解除阻止部材が空所からコネクタ連結方向の反対方向に抜かれることを防止するために空所内の係止部に係止した係止爪と、空所を通して係止爪が操作されることを阻止するために係止爪のコネクタ連結方向の反対方向への投影面を覆うカバーと、当該ロック解除阻止部材が空所へ装着されるときに、表裏逆に空所に挿入されることを防止するための非対称形状部とを含み、
上記カバーの各側部に、外側方へ突出する一対の突部と、各突部の同側に隣接した凹部とが形成され、これら突部および凹部によって上記非対称形状部が構成されていることを特徴とする電気コネクタ。
【請求項２】
請求項１において、上記ハウジングの大きさおよび形状の少なくとも一方が異なる複数の仕様の電気コネクタが設けられ、複数の仕様の間で空所の断面形状が互いに等しくされていることを特徴とする電気コネクタ。
【請求項３】
回路基板に取り付けられた第１のコネクタと、請求項１または２に記載の電気コネクタからなる第２のコネクタとを備え、第２のコネクタは回路基板と直交するコネクタ連結方向に沿って第１のコネクタに装着されることを特徴とする電気コネクタアセンブリ。
【請求項４】
請求項３に記載の電気コネクタアセンブリにおいて、第１のコネクタは、ハウジングと、ハウジングの外壁面に設けられ第２のコネクタのロック爪に係止する係止部と、ハウジングの上記外壁面に設けられた一対のリブを含み、
第１のコネクタの一対のリブは、第２のコネクタのロック機構の弾性アームの対応する側部と第２のコネクタの対応するリブとの間を覆うことを特徴とする電気コネクタアセンブリ。
【請求項５】
請求項１または２に記載の電気コネクタに用いられるロック解除阻止部材であって、当該ロック解除阻止部材が空所からコネクタ連結方向の反対方向に抜かれることを防止するために空所内の係止部に係止した係止爪と、空所を通して係止爪が操作されることを阻止するために係止爪のコネクタ連結方向の反対方向への投影面を覆うカバーと、当該ロック解除阻止部材が空所へ装着されるときに、表裏逆に空所に挿入されることを防止するための非対称形状部とを含み、
上記カバーの各側部に、外側方へ突出する一対の突部と、各突部の同側に隣接した凹部とが形成され、これら突部および凹部によって上記非対称形状部が構成されていることを特徴とするロック解除阻止部材。
【発明の詳細な説明】
【技術分野】
【０００１】
本発明は、ロック機能を有する電気コネクタ，それを含む電気コネクタアセンブリおよびそれに含まれるロック解除阻止部材に関する。
【背景技術】
【０００２】
両コネクタの嵌合後に、両コネクタの外面のほぼ全体を覆うコネクタカバーを取り外し不能に装着する技術が提案されている（特許文献１参照）。このコネクタカバーには、一方のコネクタからのケーブルを挿通させるための開口部が形成されている。
【特許文献１】実用新案登録第３１０６９２２号公報
【発明の開示】
【発明が解決しようとする課題】
【０００３】
特許文献１では、両コネクタの外面のほぼ全体を覆う大型のコネクタカバーを用いるので、材料コストの増大により製造コストが高くなる。また、コネクタの実質的な設置スペースが増大する。さらに、コネクタの大きさや形状の異なる多数の仕様毎に、その仕様に対応するコネクタカバーを設ける必要がある。したがって、多数の種類のコネクタカバーが必要となり、その結果、多数の仕様のコネクタを製造する場合に、全体としての製造コストが増大する。
【０００４】
また、コネクタカバーのケーブル挿通用の開口部に異物が挿入されて、コネクタカバーのみが破壊される場合がある。その場合、不正操作が可能となるおそれがある。
本発明の目的は、小型，安価で、不正操作防止が確実である電気コネクタ，それを含む電気コネクタアセンブリおよびそれに含まれるロック解除阻止部材を提供することである。
【課題を解決するための手段】
【０００５】
上記目的を達成するため、本発明は、対となるコネクタにコネクタ連結方向に沿って連結される樹脂成形されたハウジングと、このハウジングのコネクタ連結方向に沿う外壁面に設けられ、コネクタ連結方向に沿って延びる一対のリブと、これら一対のリブ間を連結し、ハウジングの上記外壁面に平行な板部と、この板部からコネクタ連結方向に延びるように片持ち状に設けられた板状の弾性アームおよび弾性アームに設けられハウジングの上記外壁面に向けて突出するロック爪を含み、対となるコネクタへの連結状態をロックするためのロック機構と、ハウジングの上記外壁面、上記一対のリブおよび上記板部によって区画され、コネクタ連結方向の反対方向に開放する空所と、この空所に取り外し不能に装着され、ロック機構によるロックの解除を阻止したロック解除阻止部材とを備え、上記ロック解除阻止部材は、当該ロック解除阻止部材が空所からコネクタ連結方向の反対方向に抜かれることを防止するために空所内の係止部に係止した係止爪と、空所を通して係止爪が操作されることを阻止するために係止爪のコネクタ連結方向の反対方向への投影面を覆うカバーと、当該ロック解除阻止部材が空所へ装着されるときに、表裏逆に空所に挿入されることを防止するための非対称形状部とを含み、上記カバーの各側部に、外側方へ突出する一対の突部と、各突部の同側に隣接した凹部とが形成され、これら突部および凹部によって上記非対称形状部が構成されていることを特徴とする電気コネクタを提供する（請求項１）。
【０００６】
上記の空所は、ロック機構の弾性アームの裏面やロック爪を樹脂成形にて形成するためのコア型を型抜きするために必須の構成である。この空所が開放されていると、空所を通して、ロック爪や弾性アームが操作され、ロックが簡単に解除されてしまう。本発明では、その空所にロック解除阻止部材を取り外し不能に装着しているので、ロック解除を確実に阻止することができる。また、空所はロック機構に対応した大きさのものでよく、したがって、ロック解除阻止部材も従来のコネクタ全体を覆うコネクタカバーと比較して小型となる。したがって、材料コストの低減を通じて製造コストを安くすることができる。また、電気コネクタの実質的な設置スペースが増大することがない。
また、上記ロック解除阻止部材は、当該ロック解除阻止部材が空所へ装着されるときに、表裏逆に空所に挿入されることを防止するための非対称形状部を含み、上記カバーの各側部に、外側方へ突出する一対の突部と、各突部の同側に隣接した凹部とが形成され、これら突部および凹部によって上記非対称形状部が構成されていることにより、ロック解除阻止部材の空所への逆挿入を防止することができる。
【０００７】
また、コネクタに装備されるコンタクトの極数の違いでハウジングの大きさ等が変わったとしても、空所の断面形状を等しくすることが可能である。したがって、ロック解除阻止部材を共通化することも可能であり、共通化した場合、製造コストを安くすることができる。
具体的には、上記ハウジングの大きさおよび形状の少なくとも一方が異なる複数の仕様の電気コネクタが設けられ、複数の仕様の間で空所の断面形状が互いに等しくされていること（請求項２）により、複数の仕様の間で共通のロック解除阻止部材が適用されている場合がある。
【００１２】
また、上記の目的を達成するため、本発明は、回路基板に取り付けられた第１のコネクタと、上記電気コネクタからなる第２のコネクタとを備え、第２のコネクタは回路基板と直交するコネクタ連結方向に沿って第１のコネクタに装着されることを特徴とする電気コネクタアセンブリを提供する（請求項３）。
この場合、空所は、コネクタ連結方向には開口しているが、その空所の開口には、回路基板が近接して配置されている。この回路基板によって、コネクタ連結方向とは反対方向からの空所への異物の侵入を阻止することができるので、電気コネクタアセンブリの両コネクタの取り外しを不能とすることができる。
【００１３】
また、第１のコネクタは、ハウジングと、ハウジングの外壁面に設けられ第２のコネクタのロック爪に係止する係止部と、ハウジングの上記外壁面に設けられた一対のリブを含み、第１のコネクタの一対のリブは、第２のコネクタのロック機構の弾性アームの対応する側部と第２のコネクタの対応するリブとの間を覆うことが好ましい（請求項４）。これにより、第１のコネクタのリブは、弾性アームの側方に形成された隙間を覆うことができるため、コネクタ連結方向に垂直な向きからの空所への異物の侵入を阻止することができる。
【００１４】
さらに、上記の目的を達成するため、本発明は、上記電気コネクタに用いられるロック解除阻止部材当該ロック解除阻止部材が空所からコネクタ連結方向の反対方向に抜かれることを防止するために空所内の係止部に係止した係止爪と、空所を通して係止爪が操作されることを阻止するために係止爪のコネクタ連結方向の反対方向への投影面を覆うカバーと、当該ロック解除阻止部材が空所へ装着されるときに、表裏逆に空所に挿入されることを防止するための非対称形状部とを含み、上記カバーの各側部に、外側方へ突出する一対の突部と、各突部の同側に隣接した凹部とが形成され、これら突部および凹部によって上記非対称形状部が構成されていることを特徴とするロック解除阻止部材を提供する（請求項５）。
【００１５】
この場合、本ロック解除阻止部材を請求項１または２の電気コネクタに適用して、各請求項と同様の効果を奏することができる。
【発明を実施するための最良の形態】
【００１６】
以下では、本発明の実施の形態を、添付図面を参照して詳細に説明する。
図１は、本発明の一実施形態にかかる電気コネクタアセンブリにおいて、回路基板上の第１のコネクタとしてのベースコネクタに、第２のコネクタとしての電気コネクタを連結する前の状態を示した斜視図である。図２は、ベースコネクタに電気コネクタを連結した後の状態を示した斜視図である。図３は、ベースコネクタの係止突起と電気コネクタのロック機構との係止部分におけるコネクタ連結方向に沿った断面を説明するための概略図であり、図３（ａ）は、係止突起とロック機構とが係止される前の断面図を示し、図３（ｂ）は、係止突起とロック機構とが係止されたときの断面図を示している。
【００１７】
まず、図１および図２を参照して、電気コネクタアセンブリ１は、７極のコンタクトを備えており、回路基板１０の表面１１上に突出する状態で、回路基板１０に取り付けられたベースコネクタ２０と、このベースコネクタ２０に対して対をなし、７本のケーブル９０の端部に装着された電気コネクタ３０とを備えている。電気コネクタ３０は、回路基板１０と直交するコネクタ連結方向Ａに沿って、ベースコネクタ２０に装着される。
【００１８】
図１を参照して、ベースコネクタ２０は、ナイロン樹脂などの絶縁性樹脂材料で成形されたハウジング２１と、ハウジング２１の一つの外壁面２１ｓ（前面）に設けられた係止突起２４と、ハウジング２１の外壁面２１ｓに設けられた一対のリブ２６とを有している。また、ベースコネクタ２０は、対応する電気コネクタ３０のコネクタ連結方向Ａとは反対方向Ｂに向けて開口し、この電気コネクタ３０の一部が挿入される挿入凹部２３を有している。
【００１９】
挿入凹部２３には、ハウジング２１の底部を貫通し、ハウジング２１から回路基板１０の表面１１または裏面側へ突出している７つのピン状のコンタクト２２が整列配置されている。図示していないが、各コンタクト２２は、回路基板１０の表面１１または裏面側に形成された導電部にはんだ付けされている。これにより、ベースコネクタ２０は、回路基板１０上の導電部にはんだ付けされる補強タブを用いて回路基板１０に対して固定される。
【００２０】
リブ２６は、コネクタ連結方向Ａに沿って延びている。このリブ２６に対応する挿入凹部２３の内壁面には、コネクタ連結方向Ａに沿って延びる溝２８が形成されている。
図１および図３を参照して、係止突起２４は、外壁面２１ｓにおいて、一対のリブ２６間に挟まれた部分上に形成されている。係止突起２４は、傾斜状の案内面２４ａと係止部２４ｂとを有している。
【００２１】
次に、図１を参照して、電気コネクタ３０は、ポリアミド樹脂などの絶縁性樹脂材料で成形されたハウジング３１を備えている。電気コネクタ３０は、７本のケーブル９０の端部に接続されたコンタクト（図示せず）を備えている。電気コネクタ３０の上記コンタクトは、電気コネクタ３０をベースコネクタ２０に挿入したとき、ベースコネクタ２０の各コンタクト２２と嵌合する。
【００２２】
また、電気コネクタ３０のハウジング３１の、コネクタ連結方向Ａに沿う一つの外壁面３１ｓ（前面）には、コネクタ連結方向Ａに沿って延びる一対のリブ３５が形成されている。電気コネクタ３０がベースコネクタ２０に挿入されるとき、各リブ３５がベースコネクタ２０の溝２８に嵌合することにより、両コネクタ２０，３０間の不必要な傾斜やぐらつきが防止される。
【００２３】
さらに、電気コネクタ３０には、一対のリブ３５間を連結し、ハウジング３１の外壁面３１ｓに平行な板部３６が備えられている。この板部３６は、各リブ３５からコネクタ連結方向Ａの反対方向Ｂに突出しないように形成されている。電気コネクタ３０には、電気コネクタ３０のベースコネクタ２０への連結状態をロックするためのロック機構４０が備えられている。
【００２４】
図１および図３を参照して、ロック機構４０は、この板部３６からコネクタ連結方向Ａに延びるように片持ち状に設けられた板状の弾性アーム４１と、弾性アーム４１に設けられハウジング３１の外壁面３１ｓに向けて突出するロック爪４５とを含んでいる。ロック機構４０の板部３６は、一対のリブ３５からコネクタ連結方向Ａの反対方向Ｂに突出しないように形成されているので、板部３６を押しても弾性アーム４１が動かなくなり、ロック解除操作を不能とすることができる。
【００２５】
また、図３を参照して、ロック機構４０のロック爪４５は、傾斜状の案内面４５ａと係止部４５ｂとを有している。
図３（ａ）に示されるように、案内面２４ａと案内面４５ａは、相等しい角度で互いに逆向きに傾斜している。案内面２４ａは、電気コネクタ３０がベースコネクタ２０に挿入されるとき、ロック爪４５が係止突起２４を乗り越えるようにロック爪４５を案内する。電気コネクタ３０がベースコネクタ２０に連結されたとき、図３（ｂ）に示されるように、係止突起２４の係止部２４ｂがロック爪４５の係止部４５ｂと係止することにより、ベースコネクタ２０と電気コネクタ３０との連結状態がロックされる。
【００２６】
図４は、ロック解除阻止部材５０が挿入されていない状態の電気コネクタ３０を、各ケーブル９０が接続される側から見た概略図である。なお、図４では、電気コネクタ３０に接続されている各ケーブル９０および電気コネクタ３０のコンタクトを図示していない。
図１および図４を参照して、電気コネクタ３０のハウジング３１には、コネクタ連結方向Ａ（図４では、紙面と直交する方向に相当）に貫通する複数のコンタクト収容孔３２が設けられている。
【００２７】
電気コネクタ３０には、ハウジング３１の外壁面３１ｓ、一対のリブ３５および板部３６によって区画され、コネクタ連結方向Ａの反対方向Ｂに開放する空所３８が形成されている。空所３８は、ロック機構４０の弾性アーム４１の裏面やロック爪４５を樹脂成形にて形成するためのコア型を型抜きするために必須の構成である。空所３８には、ロック機構４０によるロックの解除を阻止するため、ロック解除阻止部材５０が取り外し不能に装着される。
【００２８】
ところで、図１および図２を参照して、弾性アーム４１は、コネクタ連結方向Ａに沿って延びる一対の側部４６を有している。ロック機構４０において、電気コネクタ３０がベースコネクタ２０に連結されたとき、弾性アーム４１における側部４６とリブ３５との隙間は、一対のリブ２６により覆われている。これにより、ベースコネクタ２０のリブ２６は、弾性アーム４１の側方に形成された隙間を覆うことができるため、コネクタ連結方向Ａに垂直な向きからの空所３８への異物の侵入を阻止することができる。
【００２９】
また、空所３８は、コネクタ連結方向Ａには開口しているが、その空所３８の開口には、回路基板１０が近接して配置されている。この回路基板１０によって、コネクタ連結方向Ａとは反対方向Ｂからの空所３８への異物の侵入を阻止することができる。
図５は、ロック解除阻止部材５０を説明するための斜視図である。図６は、電気コネクタ３０にロック解除阻止部材５０を取り付けたときの断面を説明するための概略図であり、図６（ａ）は、図４のＸ−Ｘ線での断面図に相当する断面図を示し、図６（ｂ）は、図４のＹ−Ｙ線での断面図に相当する断面図を示している。
【００３０】
まず、図５を参照して、ロック解除阻止部材５０は、たとえば、ハウジング３１と同じ材料で、ポリアミド樹脂などの絶縁性樹脂材料で成形されている。これにより、空所３８にロック解除阻止部材５０が装着されても、ハウジング３１とロック解除阻止部材５０との外観上の見分けを付きにくくする。
次に、図５および図６を参照して、ロック解除阻止部材５０は、本体５０ｂと、本体５０ｂに片持ち状に支持されてコネクタ連結方向Ａに延びる弾性アーム５０ａとを含んでいる。
【００３１】
弾性アーム５０ａは、本体５０ｂの両側部に一対設けられている。各弾性アーム５０ａには、それぞれの先端の外側方に突出するように係止爪５１が形成されている。各係止爪５１が、図６（ａ）に示すように、空所３８内の対応する係止部３４に係止することにより、ロック解除阻止部材５０の空所３８からの抜脱を防止することができる。また、外側方に突出する一対の係止爪５１が一対の係止部３４にそれぞれ係止するので、空所３８からのロック解除阻止部材５０の抜脱防止が確実である。
【００３２】
一方、図５および図６を参照して、本体５０ｂには、カバー５２と、案内部５４と、柱部５５とが設けられている。
カバー５２は、図６（ａ）に示すように、空所３８を通して係止爪５１が操作されることを阻止するために、係止爪５１の、コネクタ連結方向の反対方向Ｂへの投影面を覆っている。また、カバー５２は、本体５０ｂの両側部に設けられ、外側方へ突出する一対の突部５３を含んでいる。一対の突部５３によって、空所３８の隙間を通した異物の挿入を確実に防止でき、これにより、係止爪５１の係止解除を確実に防止できる。
【００３３】
なお、ロック解除阻止部材５０を電気コネクタ３０に装着したとき、カバー５２は、その表面を電気コネクタ３０の上面３１ｕに比べ、凹形状になるような段差を生じるようにしてもよい。これにより、ロック解除阻止部材５０が空所３８内に装着されると、ロック解除阻止部材５０のほぼ全体が空所３８内に収まるので、ロック解除阻止部材５０の取り外しがより困難となる。
【００３４】
次に、図６（ａ）を参照して、一対の突部５３は、空所３８内の対応する位置決め段部３３に当接することにより、空所３８に挿入されたロック解除阻止部材５０をコネクタ連結方向Ａに位置決めするための位置決め部５３ａを含んでいる。これにより、突部５３がカバー５２と位置決め部５３ａとを兼用するので、ロック解除阻止部材５０の構造を簡素化することができる。
【００３５】
次に、図６（ｂ）を参照して、案内部５４は、案内面として、このロック解除阻止部材５０がコネクタ連結方向Ａに沿って空所３８へ挿入されるときに、その挿入を案内する。この案内部５４に加え、図６（ａ）にも示すように、外壁面３１ｓに接する柱部５５の表面や係止爪５１の傾斜面も、案内面として、ロック解除阻止部材５０の空所３８内への挿入を案内するので、ロック解除阻止部材５０を空所３８内に容易に挿入することができる。
【００３６】
次に、図５を参照して、ロック解除阻止部材５０のカバー５２の各側部には、各突部５３の同側に隣接して凹部５９が形成されており、これら突部５３と凹部５９とで、非対称形状部が構成されている。非対称形状部は、ロック解除阻止部材５０が空所３８へ装着されるときに、表裏逆に挿入されることを防止する。
以上のように、外側方に突出する各係止爪５１が空所３８内の各係止部３４にそれぞれ係止することで、ロック解除阻止部材５０の空所３８からの抜脱を防止することができる。しかも、ロック解除阻止部材５０の抜脱方向に関して係止爪５１の投影面をロック解除阻止部材５０自身のカバー５２で覆っているので、コネクタ連結方向Ａからの空所３８への異物の侵入を阻止することができる。また、空所３８は、コネクタ連結方向Ａには開口しているが、その空所３８の開口には、回路基板１０が近接して配置されている。この回路基板１０によって、コネクタ連結方向Ａとは反対方向Ｂからの空所３８への異物の侵入を阻止することができる。さらに、ベースコネクタ２０の一対のリブ２６は、電気コネクタ３０のロック機構４０の弾性アーム４１の対応する側部４６と電気コネクタ３０の対応するリブ３５との間を覆っている。これにより、ベースコネクタ２０のリブ２６は、弾性アーム４１の側部方向に形成された隙間を覆うことができるため、コネクタ連結方向Ａに垂直な向きからの空所３８への異物の侵入を阻止することができる。
【００３７】
このように、空所３８への異物の侵入を阻止できるので、係止爪５１の係止が解除されることがなく、その結果、空所３８からのロック解除阻止部材５０の取り外しを不能にすることができる。これにより、ロック解除阻止部材５０は、コネクタの連結状態におけるロック解除を確実に阻止することができる。
また、空所３８は、ロック機構４０に対応した大きさのものでよく、したがって、ロック解除阻止部材５０も従来のコネクタ全体を覆うコネクタカバーと比較して小型となる。したがって、材料コストの低減を通じて製造コストを安くすることができる。また、電気コネクタ３０の実質的な設置スペースが増大することがない。
【００３８】
ところで、上記の実施の形態では、７極のコンタクトを備えた電気コネクタアセンブリ１を用いて説明したが、これに代えて、図７および図８に示される３極のコンタクトを備えた電気コネクタアセンブリ１０１にも適用できる。
例えば、図７および図８を参照して、電気コネクタアセンブリ１０１は、３極のコンタクトを備えており、回路基板１０の表面１１上に突出する状態で、回路基板１０に取り付けられたベースコネクタ１２０と、このベースコネクタ１２０に対して対をなし、３本のケーブル９０の端部に装着された電気コネクタ１３０とを備えている。電気コネクタ１３０は、回路基板１０と直交するコネクタ連結方向Ａに沿って、ベースコネクタ１２０に装着される。
【００３９】
このように、図１ないし図６で示された電気コネクタ３０と、図７および図８の電気コネクタ１３０とを製造する場合に、すなわち、ハウジングの大きさおよび形状の少なくとも一方が異なる複数の仕様の電気コネクタを製造する場合に、複数の仕様の間で空所３８の断面形状を互いに等しくすることが好ましい。これにより、複数の仕様の間で共通のロック解除阻止部材５０を用いることができる。したがって、製造コストを安くすることができる。
【００４０】
その他、特許請求の範囲に記載された事項の範囲で種々の設計変更を施すことが可能である。
【図面の簡単な説明】
【００４１】
【図１】本発明の一実施形態にかかる電気コネクタアセンブリにおいて、回路基板上の第１のコネクタとしてのベースコネクタに、第２のコネクタとしての電気コネクタを連結する前の状態を示した斜視図である。
【図２】ベースコネクタに電気コネクタを連結した後の状態を示した斜視図である。
【図３】ベースコネクタの係止突起と電気コネクタのロック機構との係止部分におけるコネクタ連結方向に沿った断面を説明するための概略図であり、図３（ａ）は、係止突起とロック機構とが係止される前の断面図を示し、図３（ｂ）は、係止突起とロック機構とが係止されたときの断面図を示している。
【図４】ロック解除阻止部材が挿入されていない状態の電気コネクタを、各ケーブルが接続される側から見た概略図である。
【図５】ロック解除阻止部材を説明するための斜視図である。
【図６】電気コネクタにロック解除阻止部材を取り付けたときの断面を説明するための概略図であり、図６（ａ）は、図４のＸ−Ｘ線での断面図に相当する断面図を示し、図６（ｂ）は、図４のＹ−Ｙ線での断面図に相当する断面図を示している。
【図７】本発明の他の実施形態にかかる電気コネクタアセンブリにおいて、回路基板上の第１のコネクタとしてのベースコネクタに、第２のコネクタとしての電気コネクタを連結する前の状態を示した斜視図である。
【図８】図７のベースコネクタに電気コネクタを連結した後の状態を示した斜視図である。
【符号の説明】
【００４２】
１，１０１    電気コネクタアセンブリ
１０    回路基板
２０，１２０    ベースコネクタ（第１のコネクタ）
２１    ハウジング
２１ｓ    外壁面
２４ｂ    係止部
２６    リブ
３０，１３０    電気コネクタ（第２のコネクタ）
３１    ハウジング
３１ｓ    外壁面
３４    係止部
３５    リブ
３６    板部
３８    空所
４０    ロック機構
４１    弾性アーム
４５    ロック爪
４６    側部
５０    ロック解除阻止部材
５０ａ    弾性アーム
５０ｂ    本体
５１    係止爪
５２    カバー
５３    突部（非対称形状部）
５３ａ    位置決め部
５４    案内部（案内面）
５９    凹部（非対称形状部）
【図１】
0004723395.tif 000002
【図２】
0004723395.tif 000003
【図３】
0004723395.tif 000004
【図４】
0004723395.tif 000005
【図５】
0004723395.tif 000006
【図６】
0004723395.tif 000007
【図７】
0004723395.tif 000008
【図８】
0004723395.tif 000009